(57)【要約】【課題】タッチパネルを有した携帯端末装置での入力時の誤選択を少なくできる携帯端末装置、検出領域調整方法およびプログラムを提供する。【解決手段】携帯端末装置は、表示面に操作部の画像を表示する表示手段と、表示面と対向して配置され操作部の画像へのタッチを検出する検出領域を有するタッチパネルと、予め定められた基準軸に対する表示面の傾きを検出する検出手段と、検出手段にて検出された傾きに基づいてタッチパネルでの検出領域の位置を予め定められた基準位置から移動する調整手段と、を含む。【選択図】図１
2012037963.tif 000002
【特許請求の範囲】
【請求項１】
表示面に操作部の画像を表示する表示手段と、
前記表示面と対向して配置され、前記操作部の画像へのタッチを検出する検出領域を有するタッチパネルと、
予め定められた基準軸に対する前記表示面の傾きを検出する検出手段と、
前記検出手段にて検出された傾きに基づいて、前記タッチパネルでの前記検出領域の位置を予め定められた基準位置から移動する調整手段と、を含む携帯端末装置。
【請求項２】
請求項１に記載の携帯端末装置において、
前記調整手段は、前記検出手段にて検出された傾きに応じて、前記基準位置からの前記検出領域の移動量を変更する、携帯端末装置。
【請求項３】
請求項２に記載の携帯端末装置において、
前記調整手段は、前記検出手段にて検出された傾きが大きくなるほど、前記移動量を大きくする、携帯端末装置。
【請求項４】
請求項１から３のいずれか１項に記載の携帯端末装置において、
前記調整手段は、前記操作部の画像の上方向または下方向を検出し、当該検出の結果に基づいて、前記検出領域の移動方向を決定し、当該移動方向に前記検出領域を移動する、携帯端末装置。
【請求項５】
請求項４に記載の携帯端末装置において、
前記調整手段は、前記検出の結果に基づいて、前記操作部の画像の下方向を、前記検出領域の移動方向として決定する、携帯端末装置。
【請求項６】
請求項４または５に記載の携帯端末装置において、
前記表示面の形状は、長方形であり、かつ、前記表示面の縦辺の長さが前記表示面の横辺の長さよりも長いものであり、
前記調整手段は、前記検出の結果に基づいて、前記操作部の画像の上方向または下方向に、前記横辺が存在するか前記縦辺が存在するかの判断を行い、当該判断の結果と、前記検出手段にて検出された傾きと、に応じて、前記基準位置からの前記検出領域の移動量を変更する、携帯端末装置。
【請求項７】
表示面に操作部の画像を表示する表示手段と、前記表示面と対向して配置され前記操作部の画像へのタッチを検出する検出領域を有するタッチパネルと、を有する携帯端末装置が行う検出領域調整方法であって、
予め定められた基準軸に対する前記表示面の傾きを検出する検出ステップと、
前記検出された傾きに基づいて、前記タッチパネルでの前記検出領域の位置を予め定められた基準位置から移動する調整ステップと、を含む検出領域調整方法。
【請求項８】
請求項７に記載の検出領域調整方法において、
前記調整ステップでは、前記検出された傾きに応じて、前記基準位置からの前記検出領域の移動量を変更する、検出領域調整方法。
【請求項９】
表示面に操作部の画像を表示する表示手段と、前記表示面と対向して配置され前記操作部の画像へのタッチを検出する検出領域を有するタッチパネルと、を有するコンピュータに、
予め定められた基準軸に対する前記表示面の傾きを検出する検出手順と、
前記検出された傾きに基づいて、前記タッチパネルでの前記検出領域の位置を予め定められた基準位置から移動する調整手順と、を実行させるためのプログラム。
【請求項１０】
請求項９に記載のプログラムにおいて、
前記調整手順では、前記検出された傾きに応じて、前記基準位置からの前記検出領域の移動量を変更する、プログラム。
【発明の詳細な説明】
【技術分野】
【０００１】
本発明は、携帯端末装置、検出領域調整方法およびプログラムに関し、特には、タッチパネルを有する携帯端末装置、検出領域調整方法およびプログラムに関する。
【背景技術】
【０００２】
特許文献１および２には、表示部と、表示部の前面に設けられた透明なタッチパネルと、を有する携帯端末装置が記載されている。特許文献１に記載の携帯端末装置では、複数の操作キーの画像が表示部に表示され、また、タッチパネルには、表示部に表示された複数の操作キーが割り当てられる。
【０００３】
特許文献１および２に記載された表示部とタッチパネルとで入力部が形成される装置では、一般的に、タッチパネルが有する検知領域のうち、表示部上の操作キーの画像に対向する領域が、その操作キーの画像へのタッチを検出する検出領域、すなわち操作キーとして割り当てられる。
【先行技術文献】
【特許文献】
【０００４】
【特許文献１】特開２００９−２２４８９６号公報
【特許文献２】特開平１０−２８３１６０号公報
【発明の概要】
【発明が解決しようとする課題】
【０００５】
特許文献１および２に記載の携帯端末装置では、タッチパネルが有する検知領域のうち、操作キーの画像に対向する領域が、ユーザによってタッチされると、タッチされた領域に対向する画像が表す操作キーが選択される。
【０００６】
しかしながら、タッチパネルとユーザの視線との位置関係によっては、ユーザが認識するタッチパネル上の操作キーの画像の位置が、タッチパネルに操作キーとして割り当てられた領域の位置とずれてしまうことがある。
【０００７】
図１３は、ユーザが認識するタッチパネル上の操作キーの画像の位置と、タッチパネルに操作キーとして割り当てられた領域の位置との、ずれを説明するための図である。
【０００８】
図１３において、表示部１０１の前面に透明なタッチパネル１０２が設置されている。表示部１０１は、操作キーａの画像１０１ａと、操作キーｂの画像１０１ｂと、を表示している。タッチパネル１０２のうち、操作キーａの画像１０１ａと対向する領域１０２ａ１には、操作キーａが割り当てられており、操作キーｂの画像１０１ｂと対向する領域１０２ｂ１には、操作キーｂが割り当てられている。
【０００９】
しかしながら、図１３に示した例では、ユーザ１０３は、タッチパネル１０２を斜め方向から見ているため、タッチパネル１０２上の領域１０２ａ２に、操作キーａの画像１０１ａが存在すると認識する。
【００１０】
よって、ユーザ１０３が認識するタッチパネル１０２上の操作キーａの画像１０１ａの位置、つまり領域１０２ａ２の位置と、タッチパネル１０２に操作キーａとして割り当てられた領域１０２ａ１の位置と、の間でずれが生じる。
【００１１】
このため、ユーザ１０３が、操作キーａを操作しようとする場合、領域１０２ａ１の位置と領域１０２ａ２の位置とのずれによって、領域１０２ａ１を外れた部分、例えば、領域１０２ａ２と領域１０２ｂ１とが重なっている部分にタッチしてしまう可能性がある。この場合、操作キーａではなく操作キーｂが選択されるという誤選択が生じてしまう。
【００１２】
したがって、特許文献１および２に記載の表示部とタッチパネルとで入力部が形成される携帯端末装置では、入力時に誤選択が生じやすいという課題があった。
【００１３】
本発明の目的は、上述した課題を解決可能な携帯端末装置、検出領域調整方法およびプログラムを提供することである。
【課題を解決するための手段】
【００１４】
本発明の携帯端末装置は、表示面に操作部の画像を表示する表示手段と、前記表示面と対向して配置され、前記操作部の画像へのタッチを検出する検出領域を有するタッチパネルと、予め定められた基準軸に対する前記表示面の傾きを検出する検出手段と、前記検出手段にて検出された傾きに基づいて、前記タッチパネルでの前記検出領域の位置を予め定められた基準位置から移動する調整手段と、を含む。
【００１５】
本発明の検出領域調整方法は、表示面に操作部の画像を表示する表示手段と、前記表示面と対向して配置され前記操作部の画像へのタッチを検出する検出領域を有するタッチパネルと、を有する携帯端末装置が行う検出領域調整方法であって、予め定められた基準軸に対する前記表示面の傾きを検出する検出ステップと、前記検出された傾きに基づいて、前記タッチパネルでの前記検出領域の位置を予め定められた基準位置から移動する調整ステップと、を含む。
【００１６】
本発明のプログラムは、表示面に操作部の画像を表示する表示手段と、前記表示面と対向して配置され前記操作部の画像へのタッチを検出する検出領域を有するタッチパネルと、を有するコンピュータに、予め定められた基準軸に対する前記表示面の傾きを検出する検出手順と、前記検出された傾きに基づいて、前記タッチパネルでの前記検出領域の位置を予め定められた基準位置から移動する調整手順と、を実行させる。
【発明の効果】
【００１７】
本発明によれば、タッチパネルを有した携帯端末装置での入力時の誤選択を少なくすることが可能になる。
【図面の簡単な説明】
【００１８】
【図１】本発明の一実施形態の携帯端末装置１を示したブロック図である。
【図２Ａ】携帯端末装置１の正面を示した外観図である。
【図２Ｂ】携帯端末装置１の右側面を示した外観図である。
【図２Ｃ】携帯端末装置１の底面を示した外観図である。
【図３】選択項目の画像１１ｂの一例を示した説明図である。
【図４】選択項目の画像１１ｂ１〜１１ｂ４と、タッチパネル１２内の検知部１２ａ１〜１２ａ４と、を説明するための説明図である。
【図５】携帯端末装置１の姿勢角に基づいて検知部１２ａの位置を補正する制御フローを説明するための図である。
【図６】選択項目の画像１１ｂの上方向に横辺１１ａ２が存在する場合の携帯端末装置１の姿勢を示した図である。
【図７】選択項目の画像１１ｂの上方向に縦辺１１ａ１が存在する場合の携帯端末装置１の姿勢を示した図である。
【図８】縦画面表示が行われている状況での携帯端末装置１の姿勢角を説明するための図である。
【図９】横画面表示が行われている状況での携帯端末装置１の姿勢角を説明するための図である。
【図１０】ピッチ角θpが４５度の場合の検知部１２ａの移動例を示した図である。
【図１１】ロール角θrが０度の場合の検知部１２ａの移動例を示した図である。
【図１２】ロール角θrが９０度の場合の検知部１２ａの移動例を示した図である。
【図１３】ユーザが認識するタッチパネル上の操作キーの画像の位置と、タッチパネルに操作キーとして割り当てられた領域の位置との、ずれを説明するための図である。
【発明を実施するための形態】
【００１９】
以下、本発明の実施形態を図面を参照して説明する。
【００２０】
図１は、本発明の一実施形態の携帯端末装置１を示したブロック図である。図２Ａは、携帯端末装置１の正面を示した外観図である。図２Ｂは、携帯端末装置１の右側面を示した外観図である。図２Ｃは、携帯端末装置１の底面を示した外観図である。
【００２１】
図１において、携帯端末装置１は、表示部１１と、タッチパネル１２と、角度センサ１３と、調整部１４と、を含む。調整部１４は、メモリ１４ａと、制御部１４ｂと、を含む。
【００２２】
表示部１１は、一般的に表示手段と呼ぶことができる。
【００２３】
表示部１１は、例えばＬＣＤ（Liquid Crystal Display）である。なお、表示部１１は、ＬＣＤに限らず適宜変更可能である。
【００２４】
表示部１１は、図２Ａに示したように表示面１１ａを有する。本実施形態では、表示面１１ａの形状は、長方形である。また、表示面１１ａの縦辺１１ａ１の長さは、表示面１１ｂの横辺１１ａ２の長さよりも長い。
【００２５】
表示部１１は、表示面１１ａに種々の情報を表示する。例えば、表示部１１は、表示面１１ａに選択項目の画像を表示する。なお、選択項目の画像は、一般的に操作部の画像と呼ぶことができる。
【００２６】
図３は、選択項目の画像１１ｂの一例を示した説明図である。図３では、選択項目の画像１１ｂとして、ブラウザを選択するための選択項目の画像１１ｂ１、メーラを選択するための選択項目の画像１１ｂ２、ミュージックを選択するための選択項目の画像１１ｂ３、および、電話帳を選択するための選択項目の画像１１ｂ４が示されている。なお、選択項目の画像の数は、４個の限らず適宜変更可能である。
【００２７】
図１に戻って、タッチパネル１２は、表示部１１が有する表示面１１ａと対向して配置された透明なタッチパネルである。タッチパネル１２は、表示面１１ａ上の選択項目の画像１１ｂへのタッチを検出する検出領域（以下「検知部」と称する）１２ａを有する。
【００２８】
図４は、選択項目の画像１１ｂ（選択項目の画像１１ｂ１〜１１ｂ４）と、タッチパネル１２内の検知部１２ａ（検知部１２ａ１〜１２ａ４）と、を説明するための説明図である。なお、図４では、説明を解りやすくするために、選択項目の画像１１ｂ１〜１１ｂ４を立体的に示してある。
【００２９】
図４では、タッチパネル１２が有する領域のうち、選択項目の画像１１ｂ１に対向する領域が、選択項目の画像１１ｂ１へのタッチを検出する検出領域、すなわち検知部１２ａ１として割り当てられる。
【００３０】
また、タッチパネル１２が有する領域のうち、選択項目の画像１１ｂ２に対向する領域が、選択項目の画像１１ｂ２へのタッチを検出する検出領域、すなわち検知部１２ａ２として割り当てられる。
【００３１】
また、タッチパネル１２が有する領域のうち、選択項目の画像１１ｂ３に対向する領域が、選択項目の画像１１ｂ３へのタッチを検出する検出領域、すなわち検知部１２ａ３として割り当てられる。
【００３２】
また、タッチパネル１２が有する領域のうち、選択項目の画像１１ｂ４に対向する領域が、選択項目の画像１１ｂ４へのタッチを検出する検出領域、すなわち検知部１２ａ４として割り当てられる。
【００３３】
なお、図４に示された検知部１２ａ１〜１２ａ４の位置が、それぞれ、検知部１２ａ１〜１２ａ４の基準位置として予め定められている。つまり、本実施形態では、タッチパネル１２が有する領域のうち、選択項目の画像１１ｂに対向する領域が存在する位置が、選択項目の画像１１ｂへのタッチを検出する検知部１２ａ１の基準位置として予め定められている。
【００３４】
図１に戻って、角度センサ１３は、一般的に検出手段と呼ぶことができる。
【００３５】
角度センタ１３は、携帯端末装置１の姿勢角として、予め定められた基準軸に対する表示面１１ａの傾きを検出する。なお、基準軸は、例えば、重力方向に平行な軸である。
【００３６】
本実施形態では、角度センサ１３は、図２Ａに示した携帯端末装置１における左右軸１ａに対する回転角であるピッチ角と、図２Ａに示した携帯端末装置１における上下軸１ｂに対する回転角であるロール角と、を検出する。角度センサ１３としては、例えば、特許文献２に記載の傾斜検知部が用いられてもよい。なお、角度センサ１３は、特許文献２に記載の傾斜検知部に限らず適宜変更可能である。
【００３７】
調整部１４は、一般的に調整手段と呼ぶことができる。
【００３８】
調整部１４は、角度センサ１３にて検出された傾きに基づいて、タッチパネル１２での検知部１２ａの位置を、予め定められた基準位置から移動する。
【００３９】
また、調整部１４は、角度センサ１３にて検出された傾きに応じて、基準位置からの検知部１２ａの移動量を変更する。
【００４０】
本実施形態では、調整部１４は、角度センサ１３にて検出された傾きが大きくなるほど、基準位置からの検知部１２ａの移動量を大きくする。
【００４１】
また、調整部１４は、選択項目の画像１１ｂの上方向を検出する。例えば、調整部１４は、選択項目の画像１１ｂを含む表示画面の画像データを記憶しており、その画像データを参照して、選択項目の画像１１ｂの上方向を検出する。一例としては、調整部１４は、選択項目の画像１１ｂを含む表示画面の画像データにて表される表示画面の最上部を特定し、表示画面の中心から最上部へ向かう方向を、選択項目の画像１１ｂの上方向として検出する。
【００４２】
調整部１４は、選択項目の画像１１ｂの上方向の検出結果に基づいて、検知部１２ａの移動方向を決定する。本実施形態では、調整部１４は、選択項目の画像１１ｂの上方向の検出結果に基づいて、選択項目の画像１１ｂの下方向を特定し、選択項目の画像１１ｂの下方向を、検知部１２ａの移動方向として決定する。なお、検知部１２ａの移動方向は、選択項目の画像１１ｂの斜め下方向でもよい。
【００４３】
調整部１４は、検知部１２ａの移動方向を決定すると、その移動方向に検知部１２ａを移動する。
【００４４】
また、調整部１４は、選択項目の画像１１ｂの上方向の検出結果に基づいて、選択項目の画像１１ｂの上方向に、表示面１１ａの縦辺１１ａ１が存在するか横辺１１ａ２が存在するかの判断を行う。
【００４５】
調整部１４は、その判断の結果と、角度センサ１３にて検出された傾きと、に応じて、基準位置からの検知部１２ａの移動量を変更する。
【００４６】
メモリ１４ａは、種々の情報、例えば、表示部１１へ表示される画面コンテンツを表す画面データを保持する。なお、画面コンテンツには選択項目の画像１１ｂが含まれる。
【００４７】
制御部１４ｂは、携帯端末装置１の動作を制御する。例えば、制御部１４ｂは、タッチパネル１４へのユーザのタッチによって選択された項目に従って、携帯端末装置１の動作を制御する。また、制御部１４ｂは、角度センサ１３にて検出された傾きに基づいて、タッチパネル１２での検知部１２ａの位置を、予め定められた基準位置から移動する。
【００４８】
なお、携帯端末装置１は、表示部とタッチパネルと角度センサとを有するコンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行することによって、表示部１１、タッチパネル１２、角度センサ１３および調整部１４として機能する。記録媒体は、ＣＤ−ＲＯＭに限らず適宜変更可能である。
【００４９】
次に、動作を説明する。
【００５０】
図５は、携帯端末装置１の姿勢角に基づいて検知部１２ａの位置を補正する制御フローを説明するための図である。以下、図５を参照して、制御フローを説明する。
【００５１】
図５に示す制御フローは、表示面１１ａに画面が表示する状態をスタートとする（ステップＡ１０１）。
【００５２】
表示面１１ａに画面が表示する状態になると、制御部１４ｂは、表示部１１へ表示される画面コンテンツを表す画面データを、メモリ１４ａから読み出す。制御部１４ｂは、画面コンテンツを表す画面データを読み出すと、画面コンテンツを表す画面データを参照して、表示画面の上方向、つまり、選択項目の画像１１ｂの上方向を検出する（ステップＡ１０２）。
【００５３】
例えば、制御部１４ｂは、選択項目の画像１１ｂを含む画面コンテンツの画像データにて表される表示画面の最上部を特定し、表示画面の中心から最上部へ向かう方向を、選択項目の画像１１ｂの上方向として検出する。
【００５４】
制御部１４ｂは、選択項目の画像１１ｂの上方向を検出すると、選択項目の画像１１ｂの上方向に、表示面１１ａの縦辺１１ａ１が存在するか横辺１１ａ２が存在するかの判断を行う。
【００５５】
図６は、選択項目の画像１１ｂの上方向に横辺１１ａ２が存在する場合の携帯端末装置１の姿勢を示した図である。以下、図６に示した状態での画面表示を「縦画面表示」と称する。
【００５６】
図７は、選択項目の画像１１ｂの上方向に縦辺１１ａ１が存在する場合の携帯端末装置１の姿勢を示した図である。以下、図７に示した状態での画面表示を「横画面表示」と称する。
【００５７】
図８は、縦画面表示が行われている状況での携帯端末装置１の姿勢角を説明するための図である。縦画面表示の場合、重力方向に対する携帯端末装置１の傾斜角度（姿勢角）が、ピッチ角θpにて表される（図２Ａ参照）。
【００５８】
図９は、横画面表示が行われている状況での携帯端末装置１の姿勢角を説明するための図である。横画面表示の場合、重力方向に対する携帯端末装置１の傾斜角度（姿勢角）が、ロール角θrにて表される（図２Ａ参照）。
【００５９】
なお、姿勢角θpおよびθrは、角度センサ１３により検出可能である。
【００６０】
続いて、制御部１４ｂは、縦画面表示の場合（ステップＡ１０３）、角度センサ１３を用いてピッチ角θpを計測する（ステップＡ１０４）。
【００６１】
制御部１４ｂは、角度センサ１３を用いてピッチ角θpを計測すると、ピッチ角θpに対して係数Lpを掛けた値であるLp×θp分、縦画面の下方向（選択項目の画像１１ｂの下方向）に検知部１２ａを移動させる制御を行う（ステップＡ１０５）。
【００６２】
ステップＡ１０５において、例えば、ピッチ角θpが０度の場合、制御部１４ｂは、図３および４に示したように、タッチパネル１２内の検知部１２ａ１〜１２ａ４を、それぞれ、検知部１２ａ１〜１２ａ４の基準位置に設定する。
【００６３】
図１０は、ピッチ角θpが４５度の場合の検知部１２ａの移動例を示した図である。図１０に示したように、選択項目の画像１１ｂ１〜１１ｂ４に対して検知部１２ａ１〜１２ａ４の位置が、それぞれ、ピッチ角θpに比例して、縦画面の下方向へ移動している。
【００６４】
一方、横画面表示の場合（ステップＡ１０３）、制御部１４ｂは、角度センサ１３を用いてロール角θrを計測する（ステップＡ１０６）。
【００６５】
制御部１４ｂは、角度センサ１３を用いてロール角θrを計測すると、ロール角θrに対して係数Lrを掛けた値であるLr×θr分、横画面の下方向（選択項目の画像１１ｂの下方向）に検知部１２ａを移動させる制御を行う（ステップＡ１０７）。なお、係数Lrは、係数Lpと同一でもよいし異なるものでもよい。
【００６６】
図１１は、ロール角θrが０度の場合の検知部１２ａの移動例を示した図である。図１１に示したように、ロール角θrが０度の場合、制御部１４ｂは、タッチパネル１２内の検知部１２ａ５〜１２ａ８を、それぞれ、検知部１２ａ５〜１２ａ８の基準位置に設定する。
【００６７】
図１２は、ロール角θrが９０度の場合の検知部１２ａの移動例を示した図である。図１２に示したように、選択項目の画像１１ｂ５〜１１ｂ８に対して検知部１２ａ５〜１２ａ８の位置が、それぞれ、ロール角θrに比例して、横画面の下方向へ移動している。
【００６８】
本実施形態では、携帯端末装置１の姿勢が、垂直（重力と平行）から水平（重力と垂直）に近づくほど、検知部１２ａの位置は、選択項目の画像１１ｂよりも表示画面内の下方向へ大きく移動することが可能となる。
【００６９】
なお、上記実施形態は、例えば、以下のように変形されてもよい。
【００７０】
上記実施形態では、姿勢角が０度（具体的には、縦画面表示の場合でのピッチ角θp＝０度、または、横画面表示の場合でのロール角θr＝０度）の場合に、基準位置からの検知部１２ａの移動量が０となり、検知部１２ａの位置が選択項目の画像１１ｂに対向する位置となる。
【００７１】
しかしながら、制御部１４ｂは、姿勢角が予め定められた角度であるときに、基準位置からの検知部１２ａの移動量を０としてもよい。例としては、予め定められた角度が４５度の場合、縦画面表示の状況では、制御部１４ｂは、検知部の移動量を、Lp×（θp−４５）の計算結果とする。
【００７２】
また、制御部１４ｂは、検知部１２ａの位置補正の実行を制限する条件を有していてもよい。例えば、制御部１４ｂは、条件として、姿勢角が０度から４５度の間の値である場合は、検知部１２ａの位置補正は行わず（つまり、移動量＝０）、姿勢角が４５度を超えた場合に、検知部１２ａの位置補正を実行する、という条件を有してもよい。この場合、制御部１４ｂは、この条件に従って、検知部１２ａの位置補正を行う。
【００７３】
また、上記実施形態では、検知部１２ａの移動量をLp、Lrのいずれかに比例した値としているが、検知部１２ａの移動量を、Lp、Lrのいずれにも比例しないLp×θp×θp等の算出結果としてもよい。
【００７４】
また、上記実施形態では、制御部１４ｂは、選択項目の画像１１ｂの上方向を検出したが、選択項目の画像１１ｂの下方向を検出してもよい。この場合、制御部１４ｂは、選択項目の画像１１ｂの下方向を検出結果に基づいて、検知部１２ａの移動方向を決定する。
【００７５】
次に、本実施形態の効果を説明する。
【００７６】
本実施形態によれば、タッチパネル１２を備えた携帯端末装置１において、画面表示の縦画面表示・横画面表示のそれぞれに対して、携帯端末装置１の姿勢を検知し、携帯端末装置１の傾きの大きさに比例してタッチパネル１２上の選択項目の検知部１２ａを移動する動作が行われる。これにより、ユーザが画面表示内の項目を選択するために適した位置へ、検知部１２ａを移動することが可能となる。
【００７７】
携帯端末装置１の姿勢が垂直（重力と平行）である場合、携帯端末装置１はユーザの顔正面に近い位置となり、項目の選択は、選択項目の画像の真上を触れるような形で行われる。
【００７８】
一方、携帯端末装置１の姿勢が水平（重力と垂直）である場合、ユーザは携帯端末装置１を斜め方向から見下ろす形となる。このため、ユーザは、選択項目の画像をタッチしようとする場合、タッチパネル１２が有する領域のうち、選択項目の画像とユーザの目とを結ぶ直線上に存在する領域に触れようとする。この場合、ユーザが触れる位置は、タッチパネル１２が有する領域のうち、選択項目の画像に対向した領域からずれた部分（下の部分）となる可能性が高い。
【００７９】
本実施形態では、調整部１４は、角度センサ１３が検出した傾きに基づいて、タッチパネル１２での検知部１２ａの位置を予め定められた基準位置から移動する。このため、検知部１２ａの位置を、ユーザ操作に適した位置へ移動することが可能になる。よって、誤選択を減らすことが可能となる。
【００８０】
また、本実施形態では、調整部１４は、角度センサ１３にて検出された傾きに応じて、基準位置からの検知部１２ａの移動量を変更する。この場合、角度センサ１３にて検出された傾きに応じて検知部１２ａの移動量を適切に変更することが可能になる。
【００８１】
また、本実施形態では、調整部１４は、角度センサ１３にて検出された傾きが大きくなるほど、基準位置からの検知部１２ａの移動量を大きくする。この場合、傾きが大きくなるにつれて検知部１２ａの移動量を大きくなり、検知部１２ａの移動量をより適切に変更することが可能になる。
【００８２】
また、本実施形態では、調整部１４は、選択項目の画像の上方向または下方向を検出し、その検出の結果に基づいて、検知部１２ａの移動方向を決定し、その移動方向に検知部１２ａを移動する。この場合、検知部１２ａの移動方向を適切に決定可能になる。
【００８３】
また、本実施形態では、調整部１４は、選択項目の画像の上方向または下方向の検出の結果に基づいて、選択項目の画像の下方向を、検知部１２ａの移動方向として決定する。この場合、検知部１２ａの移動方向をより適切に決定可能になる。
【００８４】
また、本実施形態では、調整部１４は、選択項目の画像１１ｂの上方向または下方向の検出結果に基づいて、選択項目の画像１１ｂの上方向または下方向に、表示面１１ａの縦辺１１ａ１が存在するか横辺１１ａ２が存在するかの判断を行う。調整部１４は、その判断の結果と、角度センサ１３にて検出された傾きと、に応じて、基準位置からの検知部１２ａの移動量を変更する。この場合、選択項目の画像１１ｂの上方向または下方向に、表示面１１ａの縦辺１１ａ１が存在するか横辺１１ａ２が存在するかによって、移動量を変更することが可能になる。
【００８５】
以上説明した実施形態において、図示した構成は単なる一例であって、本発明はその構成に限定されるものではない。
【符号の説明】
【００８６】
１        携帯端末装置
１１      表示部
１１ａ    表示面
１１ａ１  縦辺
１１ａ２  横辺
１１ｂ、１１ｂ１〜１１ｂ４  選択項目の画像
１２      タッチパネル
１２ａ、１２ａ１〜１２ａ４  検知部
１３      角度センサ
１４      調整部
１４ａ    メモリ
１４ｂ    制御部
【図１】
2012037963.tif 000003
【図２Ａ】
2012037963.tif 000004
【図２Ｂ】
2012037963.tif 000005
【図２Ｃ】
2012037963.tif 000006
【図３】
2012037963.tif 000007
【図４】
2012037963.tif 000008
【図５】
2012037963.tif 000009
【図６】
2012037963.tif 000010
【図７】
2012037963.tif 000011
【図８】
2012037963.tif 000012
【図９】
2012037963.tif 000013
【図１０】
2012037963.tif 000014
【図１１】
2012037963.tif 000015
【図１２】
2012037963.tif 000016
【図１３】
2012037963.tif 000017